(57)【要約】【課題】非接触型情報記録媒体に対して情報の読み出し書き込みができるとともにこれをデータ放送や電子番組表などと連携できるテレビジョン受信機を提供する。【解決手段】非接触型情報記録媒体に対して情報の読み出し書き込みを行なう情報送受信部と読み出した情報をもとにインターネットに接続して様々な情報のやり取りを行なう通信処理部と放送信号を受信するチューナとデータ放送や電子番組表データの処理を行なうデータ放送ＥＰＧ処理部と様々な情報を処理する情報処理部とこれら情報を映像や音声として出力するための出力処理部とディスプレイとスピーカとこれら情報を外部に持ち出すことを可能にするリムーバブルメモリとを付加することで実現できる。【選択図】図５
2006019879.tif 000002
【特許請求の範囲】
【請求項１】
放送信号を受信して所望のチャンネル信号を出力するチューナと、前記チューナから出力されるテレビジョン信号を処理するテレビジョン信号処理部と、非接触型情報記録媒体に対して無線により所望の情報の読み出しまたは書き込みを行なう情報送受信部と、前記情報送受信部を介して読み出される前記非接触型情報記録媒体に記録された情報を処理したり、あるいは前記非接触型情報記録媒体に書き込む情報を生成したり、これらを映像信号や音声信号として出力できるように変換処理を行なう情報処理部と、前記テレビジョン信号処理部や前記情報処理部と接続され、ユーザの操作や前記非接触型情報記録媒体に対する情報の読み出しまたは書き込み動作などに応じてテレビジョン放送や前記情報処理部から出力される前記非接触型情報記録媒体に記録された情報などの所望の映像信号や音声信号を選択して出力したり、前記非接触型情報記録媒体に対する情報の読み出しまたは書き込み動作の状況などを知らせる各種情報を画面や音声で出力したりする出力処理部と、
前記出力処理部に接続された画面を表示するディスプレイと音声を出力するスピーカとを備え、前記非接触型情報記録媒体に記録された情報を読み込んで所望の映像や音声としてディスプレイに表示し、スピーカから出力するテレビジョン受信機。
【請求項２】
放送信号を受信して所望のチャンネル信号を出力するチューナと、前記チューナから出力される映像信号や音声信号などのＴＶ信号を処理するＴＶ信号処理部と非接触型情報記録媒体に対して無線により所望の情報の読み出し書き込みを行なう情報送受信部と、前記情報送受信部を介して読み出される前記非接触型情報記録媒体に記録された情報を処理したりあるいは前記非接触型情報記録媒体に書き込む情報を生成したりこれらを映像信号や音声信号として出力できるように変換処理を行なう情報処理部と、前記情報処理部より得られる前記非接触型情報記録媒体に記録された情報を記録して外部に取り出すことを可能にするリムーバブルメモリと、前記ＴＶ信号処理部や前記情報処理部と接続されユーザの操作や前記非接触型情報記録媒体に対する情報の読み出し書き込み動作などに応じてＴＶ放送や前記情報処理部から出力される前記非接触型情報記録媒体に記録された情報などの所望の映像信号や音声信号を選択して出力し、前記非接触型情報記録媒体に対する情報の読み出し書き込み動作の状況や、前記リムーバブルメモリへの情報の読み出し書き込み状況などを知らせる各種情報を画面や音声で出力したりする出力処理部と、前記出力処理部に接続された画面を表示ずるディスプレイと音声を出力するスピーカとを備え、前記非接触型情報記録媒体に記録された情報を読み込んで所望の映像や音声としてディスプレイに表示したりスピーカから出力すると同時に読み出した情報を持ち運び可能なリムーバブルメモリに記録して取り出すことを可能とするテレビジョン受信機。
【請求項３】
前記情報送受信部の代わりに、前記非接触型情報記録媒体に対して無線により所望の情報の読み出し書き込みを行なう外付け情報送受信装置を使用し、前記外付け情報送受信装置と前記情報処理部とをインターフェース部を介して接続する請求項１または請求項２に記載のテレビジョン受信機。
【請求項４】
放送信号を受信して所望のチャンネル信号を出力するチューナと、前記チューナから出力されるテレビジョン信号を処理するテレビジョン信号処理部と、非接触型情報記録媒体に対して無線により所望の情報の読み出し書き込みを行なう情報送受信部と、前記情報送受信部を介して読み出される前記非接触型情報記録媒体に記録された情報を処理したり、あるいは前記非接触型情報記録媒体に書き込む情報を生成したり、これらを映像信号や音声信号として出力できるように変換処理を行なう情報処理部と、前記非接触型情報記録媒体に記録された情報をもとに通信回線を通じてインターネットに接続し情報のやり取りを行なう通信処理部と、前記情報処理部より得られる前記非接触型情報記録媒体に記録された情報や前記通信処理部によりインターネットに接続して得られる情報などを記録して外部に取り出すことを可能にするリムーバブルメモリと、前記テレビジョン信号処理部や前記情報処理部と接続されユーザの操作や前記非接触型情報記録媒体に対する情報の読み出し書き込み動作や前記通信処理部によって行なわれるインターネットへの接続状況などに応じてテレビジョン放送や前記情報処理部から出力される前記非接触型情報記録媒体に記録された情報や前記通信処理部によりインターネットに接続して得られる情報などの所望の映像信号や音声信号を選択して出力し、前記非接触型情報記録媒体に対する情報の読み出し書き込み動作や前記通信処理部により行なわれるインターネットへの接続の状況や前記リムーバブルメモリへの情報の読み出し書き込み状況などを知らせる各種情報を画面や音声で出力したりする出力処理部と、前記出力処理部に接続された画面を表示ずるディスプレイと、音声を出力するスピーカとを備え、前記非接触型情報記録媒体に記録された情報を読み込んで所望の映像や音声としてディスプレイに表示したりスピーカから出力すると同時にその情報を用いてインターネットに接続し所望の情報を取り込んで上記ディスプレイやスピーカに出力し、さらに前記非接触型情報記録媒体に記録された情報やインターネットに接続して得られる情報を持ち運び可能なリムーバブルメモリに記録して取り出すことを可能とするテレビジョン受信機。
【請求項５】
前記通信処理部により通信回線を通じてインターネットに接続し、前記非接触型情報記録媒体に記録される情報に対してセキュリティを確保するために用いられる暗号キーなどの各種セキュリティコードをデコードするための情報を読み込み前記情報処理部において、デコードを行なうあるいは種々の情報記録方式に対してこれらに対応した情報送受信方式や情報処理方式の制御情報などを前記通信処理部によりインターネットから取り込みこれにより前記情報送受信部や前記情報処理部の動作を変えることにより種々の情報記録方式や情報セキュリティ方式が用いられた複数の非接触型情報記録媒体に対してそれに記録された情報を読み出して出力することを可能にした請求項４記載のテレビジョン受信機。
【請求項６】
放送信号を受信して所望のチャンネル信号を出力するチューナと、前記チューナから出力されるテレビジョン信号を処理するテレビジョン信号処理部と、前記チューナーから出力されるデータ放送信号や電子番組表（ＥＰＧ）データを処理するデータ放送ＥＰＧ処理部と、非接触型情報記録媒体に対して無線により所望の情報の読み出し書き込みを行なう情報送受信部と、前記情報送受信部を介して読み出される前記非接触型情報記録媒体に記録された情報を処理したり、あるいは前記非接触型情報記録媒体に書き込む情報を生成したり、これらを映像信号や音声信号として出力できるように変換処理を行なったり前記データ放送ＥＰＧ処理部より得られる情報と前記非接触型情報記録媒体より得られる情報とを用いてデータ放送や電子番組表の所望の情報を抽出したり加工したりするなどの連携処理を行なって出力する情報処理部と、前記非接触型情報記録媒体に記録された情報をもとに通信回線を通じてインターネットに接続し情報のやり取りを行なったり種々の情報記録方式や情報セキュリティ方式に対する情報送受信方式や情報処理方式の制御情報などをインターネットより取り込む通信処理部と前記情報処理部より得られる前記非接触型情報記録媒体に記録された情報や前記通信処理部によりインターネットに接続して得られる情報などを記録して外部に取り出すことを可能にするリムーバブルメモリと、前記テレビジョン信号処理部や前記データ放送ＥＰＧ処理部や前記情報処理部と接続されユーザの操作や前記非接触型情報記録媒体に対する情報の読み出し書き込み動作や前記通信処理部によって行なわれるインターネットへの接続状況などに応じてテレビジョン放送やデータ放送や電子番組表や前記情報処理部から出力される前記非接触型情報記録媒体に記録された情報や前記通信処理部によりインターネットに接続して得られる情報などの所望の映像信号や音声信号を選択して出力し、前記非接触型情報記録媒体に対する情報の読み出し書き込み動作や前記通信処理部により行なわれるインターネットへの接続の状況や前記リムーバブルメモリへの情報の読み出し書き込み状況などを知らせる各種情報を画面や音声で出力したりする出力処理部と、前記出力処理部に接続された画面を表示ずるディスプレイと、音声を出力するスピーカとを備え、種々の情報記録方式や情報セキュリティ方式が用いられた非接触型情報記録媒体に記録された情報を用いて放送信号より得られるデータ放送や電子番組表の情報を抽出したり加工したりするなどして非接触型情報記録媒体とデータ放送や電子番組表とを連携させたサービスの提供を可能とするテレビジョン受信機。
【発明の詳細な説明】
【技術分野】
【０００１】
本発明は、非接触型情報記録媒体に記録された情報を読み込んでこれを表示したりこれを用いて新たな情報にアクセスしたり情報の抽出や加工を行なうことにより新たなサービスの提供を可能にするテレビジョン受信機に関する。
【背景技術】
【０００２】
近年、ＤＶＤやＢｌｕｅ−ｒａｙディスクあるいはＡＯＤ（Ａｄｖａｎｃｅｄ  Ｏｐｔｉｃａｌ  Ｄｉｓｋ）といった光ディスクやハードディスク、半導体メモリなど小型で大容量の情報記録媒体が多数登場しこれらは映像や音声といった情報量の多いソースに対して非常に有望な媒体となっている。
【０００３】
一方でバーコードや磁気カードといった比較的情報記録容量の少ない媒体も様々な分野で用いられている。例えばバーコードは色々なものに簡単に印刷して使用できるため物流システムやＰＯＳシステムで多用されており近年では二次元バーコードの登場により記録できる情報量が増加した。また磁気カードはクレジットカードやキャッシュカード、切符や定期券などに古くから身近に使用されている記録媒体である。
【０００４】
しかしながら磁気カードは磁気読み取り装置に直接通して情報を読み出すため手間がかかり、また磁気で記録するため情報の消失の可能性が高くまたセキュリティの観点からも偽造クレジットカード事件などに代表されるように問題となることが多い。
【０００５】
そこで近年、この磁気カードに代わってＩＣチップを用いたＩＣカードが用いられることが多くなった。これはＩＣチップに様々な情報を記録しこれを無線を用いて非接触で読み出すことが可能な情報記録媒体であり磁気カードに比べて記録できる情報量も多くまた情報セキュリティの観点からも偽造が難しいなどのメリットがある（特許文献１参照）。
【０００６】
さらにミューチップや無線タグといったＩＣチップをさらに小型化した非接触型の情報記録媒体も登場しこれらＩＣカードを含めた非接触型の情報記録媒体は様々な分野に利用されるようになった。例えばその非接触で情報のやり取りができる特性を生かして高速道路において車を停車させることなく確実に通行料金の自動決済（ＥＴＣ）を行なうことができたり（特許文献２参照）、定期券に組み込むことで従来にないサービスを付加できたり（特許文献３参照）、またミューチップなどの小型の無線タグは物流システムにおいて徐々に利用されつつある（特許文献４参照）。
【特許文献１】特開２００３−２２８６９８号公報
【特許文献２】特開平６−１３１５０９号公報
【特許文献３】特開２００２−２７９３６８号公報
【特許文献４】特開平１０−８１３３２号公報
【発明の開示】
【発明が解決しようとする課題】
【０００７】
このようにこれら非接触の情報記録媒体の登場により従来にない高付加価値のサービスが個々のユーザのニーズに合わせて提供することが可能となる。しかしながらこれら非接触の情報記録媒体では従来の磁気カードなどと同様にどのような情報が記録されているのか確認することは専用の読み出し書き込み装置がないと困難でありユーザがこれらの情報記録媒体に記録される個々の情報を確認したりこれを用いたサービスの提供を受けることに不便を強いられたりまた記録された情報を他のサービスと連動させて使用するという新規サービスの提供という点でも限定されることが多い。
【０００８】
本発明では、種々の情報記録方式や情報セキュリティ方式が用いられた非接触型情報記録媒体に記録された情報をセキュリティを保ったまま一つの装置で読み出して表示することを可能にし、またこれを外部に持ち出すことを可能にし、さらにこの情報をもとにインターネットに接続して様々な情報にアクセスしたり、この情報を用いて放送信号より得られるデータ放送や電子番組表の情報を抽出したり加工したりするなどして非接触型情報記録媒体とデータ放送や電子番組表とを連携させたサービスの提供を可能にするテレビジョン受信機を提供する。
【課題を解決するための手段】
【０００９】
放送信号を受信して所望のチャンネル信号を出力するチューナと、前記チューナから出力される映像信号や音声信号などのテレビジョン信号（以下、ＴＶ信号と記す）を処理するＴＶ信号処理部と、非接触型情報記録媒体に対して無線により所望の情報の読み出し書き込みを行なう情報送受信部と、前記情報送受信部を介して読み出される前記非接触型情報記録媒体に記録された情報を処理したり、あるいは前記非接触型情報記録媒体に書き込む情報を生成したり、これらを映像信号や音声信号として出力できるように変換処理を行なう情報処理部と、前記ＴＶ信号処理部や前記情報処理部と接続されユーザの操作や前記非接触型情報記録媒体に対する情報の読み出し書き込み動作などに応じて、ＴＶ放送や前記情報処理部から出力される前記非接触型情報記録媒体に記録された情報などの所望の映像信号や音声信号を選択して出力したり、ユーザの操作を誘導したり、前記非接触型情報記録媒体に対する情報の読み出し書き込み動作の状況などを知らせる各種情報を、画面や音声で出力したりする出力処理部と、前記出力処理部に接続された実際に画面を表示ずるディスプレイと実際に音声を出力するスピーカとを備え、非接触型情報記録媒体に記録された情報を読み込んで所望の映像や音声としてディスプレイに表示し、またはスピーカから出力することを可能にする。
【００１０】
またさらに、非接触型情報記録媒体に記録された情報を所望の映像や音声としてディスプレイに表示し、またはスピーカから出力すると同時に、読み出した情報を持ち運び可能なリムーバブルメモリに記録して取り出すことを可能にするものである。
【００１１】
また、前記情報送受信部の代わりに前記非接触型情報記録媒体に対して無線により所望の情報の読み出し書き込みを行なう外付け情報送受信装置を使用し、前記外付け情報送受信装置と前記情報処理部とをインターフェース部を介して接続して情報のやり取りを行なうことにより種々の非接触型情報記録媒体に記録された情報をそれに対応した外付け情報送受信装置により読み込んで、所望の映像や音声としてディスプレイに表示し、またはスピーカから出力すると同時に、読み出した情報を持ち運び可能なリムーバブルメモリに記録して取り出すことを可能にする。
【００１２】
また、放送信号を受信して所望のチャンネル信号を出力するチューナと、前記チューナから出力される映像信号や音声信号などのＴＶ信号を処理するＴＶ信号処理部と、非接触型情報記録媒体に対して無線により所望の情報の読み出し書き込みを行なう情報送受信部と、前記情報送受信部を介して読み出される前記非接触型情報記録媒体に記録された情報を処理したり、あるいは前記非接触型情報記録媒体に書き込む情報を生成したり、これらを映像信号や音声信号として出力できるように変換処理を行なう情報処理部と、前記非接触型情報記録媒体に記録された情報をもとに通信回線を通じてインターネットに接続し情報のやり取りを行なう通信処理部と、前記情報処理部より得られる前記非接触型情報記録媒体に記録された情報や前記通信処理部によりインターネットに接続して得られる情報などを記録して外部に取り出すことを可能にするリムーバブルメモリと、前記ＴＶ信号処理部や前記情報処理部と接続されユーザの操作や前記非接触型情報記録媒体に対する情報の読み出し・書き込み動作や前記通信処理部によって行なわれるインターネットへの接続状況などに応じて、ＴＶ放送や前記情報処理部から出力される前記非接触型情報記録媒体に記録された情報や前記通信処理部によりインターネットに接続して得られる情報などの所望の映像信号や音声信号を選択して出力したり、ユーザの操作を誘導したり前記非接触型情報記録媒体に対する情報の読み出し書き込み動作や、前記通信処理部により行なわれるインターネットへの接続の状況や前記リムーバブルメモリへの情報の読み出し書き込み状況などを知らせる各種情報を画面や音声で出力したりする出力処理部と、前記出力処理部に接続された実際に画面を表示ずるディスプレイと実際に音声を出力するスピーカとを備え、非接触型情報記録媒体に記録された情報を読み込んで所望の映像や音声としてディスプレイに表示し、またはスピーカから出力すると同時に、その情報を用いてインターネットに接続し所望の情報を取り込んで上記ディスプレイやスピーカに出力しさらに非接触型情報記録媒体に記録された情報やインターネットに接続して得られる情報を持ち運び可能なリムーバブルメモリに記録して取り出すことを可能にする。
【００１３】
また、前記通信処理部により通信回線を通じてインターネットに接続し前記非接触型情報記録媒体に記録される情報に対してセキュリティを確保するために用いられる暗号キーなどの各種セキュリティコードをデコードするための情報を読み込み前記情報処理部において、デコードを行なうあるいは種々の情報記録方式に対してこれらに対応した情報送受信方式や情報処理方式の制御情報などを前記通信処理部によりインターネットから取り込み、これにより前記情報送受信部や前記情報処理部の動作を変えることにより種々の情報記録方式や情報セキュリティ方式が用いられた複数の非接触型情報記録媒体に対してそれに記録された情報を装置を変えることなく読み出して出力することを可能にする。
【００１４】
また、放送信号を受信して所望のチャンネル信号を出力するチューナと、前記チューナから出力される映像信号や音声信号などのＴＶ信号を処理するＴＶ信号処理部と、前記チューナから出力されるデータ放送信号や電子番組表（ＥＰＧ）データを処理するデータ放送ＥＰＧ処理部と、非接触型情報記録媒体に対して無線により所望の情報の読み出し書き込みを行なう情報送受信部と、前記情報送受信部を介して読み出される前記非接触型情報記録媒体に記録された情報を処理したり、あるいは前記非接触型情報記録媒体に書き込む情報を生成したり、これらを映像信号や音声信号として出力できるように変換処理を行なったり、前記データ放送ＥＰＧ処理部より得られる情報と前記非接触型情報記録媒体より得られる情報とを用いてデータ放送や電子番組表の所望の情報を抽出したり、加工したりするなどの連携処理を行なって出力する情報処理部と、前記非接触型情報記録媒体に記録された情報をもとに通信回線を通じてインターネットに接続し、情報のやり取りを行ない、種々の情報記録方式や情報セキュリティ方式に対する情報送受信方式や情報処理方式の制御情報などをインターネットより取り込む通信処理部と、前記情報処理部より得られる前記非接触型情報記録媒体に記録された情報や前記通信処理部によりインターネットに接続して得られる情報などを記録して外部に取り出すことを可能にするリムーバブルメモリと、前記ＴＶ信号処理部や前記データ放送ＥＰＧ処理部や前記情報処理部と接続されユーザの操作や前記非接触型情報記録媒体に対する情報の読み出し書き込み動作や前記通信処理部によって行なわれるインターネットへの接続状況などに応じてＴＶ放送やデータ放送や電子番組表や前記情報処理部から出力される前記非接触型情報記録媒体に記録された情報や前記通信処理部によりインターネットに接続して得られる情報などの所望の映像信号や音声信号を選択して出力し、ユーザの操作を誘導し、前記非接触型情報記録媒体に対する情報の読み出し書き込み動作や前記通信処理部により行なわれるインターネットへの接続の状況や前記リムーバブルメモリへの情報の読み出し書き込み状況などを知らせる各種情報を画面や音声で出力する出力処理部と、前記出力処理部に接続された実際に画面を表示ずるディスプレイと、実際に音声を出力するスピーカとを備え、種々の情報記録方式や情報セキュリティ方式が用いられた非接触型情報記録媒体に記録された情報を用いて放送信号より得られるデータ放送や電子番組表の情報を抽出したり加工したりするなどして非接触型情報記録媒体とデータ放送や電子番組表とを連携させたサービスの提供を可能にする。
【発明の効果】
【００１５】
以上のように本発明では、非接触型情報記録媒体に記録された情報を読み出し、または逆に情報を書き込むための情報送受信部と、読み出した情報をもとに様々な情報処理を行なう情報処理部と、読み出した情報をもとにインターネットを通じて様々な情報をやり取りする通信処理部とを付加したテレビジョン受信機を提供することにより、非接触型情報記録媒体に記録された情報を読み込んで所望の映像や音声としてディスプレイやスピーカから出力することが可能になり、あるいは所望の情報を逆に非接触型情報記録媒体に書き込むことが可能になる。
【００１６】
また、外付け送受信装置を用いることで種々の非接触型情報記録媒体に対応した複数の情報送受信装置を使用することが可能となりまたこの外付け情報送受信装置の設置場所を任意に変えられることによりユーザの操作性の向上が可能となる。
【００１７】
また、非接触型情報記録媒体から読み出した情報をもとに通信処理を行ないインターネットを通じて様々な情報のやり取りを行なうことで非接触型情報記録媒体に記録できる情報量が限られている場合においてもそこにＵＲＬなどのインターネット上に存在する情報源の情報を記録するだけでユーザはこれをもとに多様な情報にアクセスすることが可能となり非接触型情報記録媒体の用途を広げることが可能になる。
【００１８】
また、インターネットなどから暗号キーに対する解読キーや各種情報記録方式に対応した制御情報などの情報を取り込んで適用することにより種々の情報記録方式や情報セキュリティ方式が用いられた複数の非接触型情報記録媒体に対してそれに記録された情報を、装置を変えることなく読み出して出力することが可能になる。
【００１９】
また、非接触型情報記録媒体より所望の情報を読み出してこれを用いてデータ放送や電子番組表データなどと所望の連携処理を行なうことによりユーザが単純な操作でキーワードの抽出やこれを用いた番組、情報検索が可能となりまた非接触型情報記録媒体を用いた新しい広告宣伝活動やマーケティング活動が実現できる。
【００２０】
また、このようにして得られる様々な情報はリムーバブルメモリを付加することにより、外に持ち出して他の機器で使用することも可能になる。
【発明を実施するための最良の形態】
【００２１】
以下、本発明の実施の形態について、図面を参照しながら説明する。
【００２２】
（実施の形態１）
まず、本発明の第１の実施の形態について、その詳細を説明する。
【００２３】
図１に本発明の構成図を示す。１０１は放送信号であり、１０２は放送信号１０１を受信して所望のチャンネル信号を出力するチューナであり、１０３はチューナ１０２から出力される映像信号や音声信号などのＴＶ信号を処理するＴＶ信号処理部であり、１０４は非接触型情報記録媒体であり、１０５は非接触型情報記録媒体１０４に対して無線により所望の情報の読み出しまたは書き込みを行なう情報送受信部であり、１０６は情報送受信部１０５を介して読み出される非接触型情報記録媒体１０４に記録された情報を処理したり、あるいは非接触型情報記録媒体１０４に書き込む情報を生成したり、これらを映像信号や音声信号として出力できるように変換処理を行なう情報処理部である。
【００２４】
また１０７は、ＴＶ信号処理部１０３や情報処理部１０６と接続され、ユーザの操作や非接触型情報記録媒体１０４に対する情報の読み出しまたは書き込み動作などに応じてＴＶ放送や情報処理部１０６から出力される非接触型情報記録媒体１０４に記録された情報などの所望の映像信号や音声信号を選択し、そして出力したりユーザの操作を誘導したり非接触型情報記録媒体１０４に対する情報の読み出し・書き込み動作の状況などを知らせる各種情報を、画面や音声で出力したりする出力処理部であり、１０８は出力処理部１０７に接続された実際に画面を表示ずるディスプレイであり、１０９は実際に音声を出力するスピーカである。
【００２５】
以下、具体例を挙げてその動作を説明する。
【００２６】
放送信号１０１をチューナ１０２に入力し所望の選局処理を行ないＴＶ信号処理部１０３に出力する。ＴＶ信号処理部１０３では通常のテレビジョン受信機と同様にチューナ１０２から入力される信号に対して同期処理や画質処理など所望の処理を行ない、映像信号や音声信号を出力する。
【００２７】
一方、情報送受信部１０５では非接触型情報記録媒体１０４に記録された情報を無線により読み出し、情報処理部１０６に出力する。例えば非接触型情報記録媒体１０４としてＩＣチップを埋め込んだＩＣカードを考えると、ユーザがこのＩＣカードを情報送受信部１０５に近づけると情報送受信部１０５はこれを感知して組み込まれた電磁誘導コイルにより情報読み出しのための電波を発信する。
【００２８】
ユーザが持つ非接触型ＩＣカード（情報記録媒体１０４）ではこの電波をキャッチし、内蔵されたＩＣチップに記録された情報を読み出し、これを情報送受信部１０５に対して電波により送信する。このときテキストデータなど読み出す情報量が少なければこの電波による情報のやり取りに要する時間は少なくなるが、画像や音声といった比較的情報量の多いソースになると情報送受信に時間がかかる。
【００２９】
このようにして読み出された情報は、情報処理部１０６に出力される。ここでは情報送受信部１０５により、読み出された情報を処理してディスプレイ１０８やスピーカ１０９において、映像や音声として出力するための変換処理を行なう。例えば、前記非接触型ＩＣカード１０４に記録されたテキストデータを情報送受信部１０５により読み出した場合、情報処理部１０６ではこのテキストデータを認識し、これを所望の表示スタイルになるように改行位置や個々のテキストの大きさを定義し、これをディスプレイ１０８において表示できるように、例えばＲＧＢ信号に変換して出力する。このとき非接触型ＩＣカード１０４に表示スタイル定義情報を組み込んでおき、これを用いて情報処理部１０６にてテキストデータを所望の表示スタイルに変換することも可能である。またテキストデータを音声信号に変換させてスピーカ１０９より出力することも可能である。こうして情報処理部１０６にて変換処理された信号は出力処理部１０７に出力される。
【００３０】
出力処理部１０７では、ＴＶ信号処理部１０３や情報処理部１０６と接続され、ユーザの操作や非接触型ＩＣカード１０４に対する情報の読み出し書き込み動作などに応じてＴＶ放送や前記情報処理部１０６から出力される、前記非接触型ＩＣカード１０４に記録された情報など、所望の映像信号や音声信号を選択して出力する。例えば通常ＴＶ信号処理部１０３の信号を出力している場合に、ユーザが非接触型ＩＣカード１０４を近づけると、情報処理部１０６より情報読み取り動作に入ったことを知らせる映像信号や音声信号を出力し、出力処理部１０７では前記ＴＶ信号処理部１０３からの信号をこの情報処理部１０６からの信号に切り替える、あるいは混合してディスプレイ１０８やスピーカ１０９に出力する。
【００３１】
そして情報送受信部１０５により非接触型ＩＣカード１０４に記録された情報の読み出しが完了すると、情報処理部１０６で変換処理されたこの情報が出力され、出力処理部１０７では読み出された情報をディスプレイ１０８やスピーカ１０９に出力する。このとき非接触型ＩＣカード１０４からの情報の読み出しに失敗した場合、情報処理部１０６から読み出し失敗を知らせたり、再操作を促す映像信号や音声信号を出力し、出力処理部はこれをディスプレイ１０８やスピーカ１０９より出力することによりユーザがこれを認識できる。
【００３２】
また前記非接触型情報記録媒体１０４に情報を書き込む場合、例えばユーザが情報送受信部１０５に非接触型情報記録媒体１０４を近づけると、情報送受信部１０５はこれを感知するとともに情報処理部１０６よりテキストデータなど所望の情報を情報送受信部１０５に出力する。情報送受信部１０５ではこの情報を電磁誘導コイルにより発信される電波にのせて非接触型情報記録媒体１０４に送信する。
【００３３】
非接触型情報記録媒体１０４ではこの電波をキャッチして内蔵されたＩＣチップなどの情報記録部分にこの情報を書き込んで記録する。このときもユーザの操作状態や情報送受信部１０５と非接触型情報記録媒体１０４との情報の送受信の状況などをディスプレイ１０８やスピーカ１０９よりユーザに知らせることが可能である。
【００３４】
このような構成により非接触型情報記録媒体１０４に記録された情報を読み込んで所望の映像や音声としてディスプレイやスピーカから出力することが可能になりあるいは所望の情報を逆に非接触型情報記録媒体１０４に書き込むことが可能になる。
【００３５】
（実施の形態２）
次に本発明の第２の実施の形態について、その詳細を説明する。
【００３６】
図２にその構成図を示す。２０１は放送信号であり、２０２は放送信号２０１を受信して所望のチャンネル信号を出力するチューナであり、２０３はチューナ２０２から出力される映像信号や音声信号などのＴＶ信号を処理するＴＶ信号処理部であり、２０４は非接触型情報記録媒体であり、２０５は非接触型情報記録媒体２０４に対して無線により所望の情報の読み出し書き込みを行なう情報送受信部であり、２０６は情報送受信部２０５を介して読み出される非接触型情報記録媒体２０４に記録された情報を処理したり、あるいは非接触型情報記録媒体２０４に書き込む情報を生成したり、これらを映像信号や音声信号として出力できるように変換処理を行なう情報処理部である。
【００３７】
２０７は情報処理部２０６より得られる非接触型情報記録媒体２０４に記録された情報を記録して外部に取り出すことを可能にするリムーバブルメモリであり、２０８はＴＶ信号処理部２０３や情報処理部２０６と接続されユーザの操作や前記非接触型情報記録媒体２０４に対する情報の読み出し書き込み動作などに応じてＴＶ放送や前記情報処理部２０６から出力される非接触型情報記録媒体２０４に記録された情報などの所望の映像信号や音声信号を選択して出力したり、ユーザの操作を誘導したり前記非接触型情報記録媒体２０４に対する情報の読み出し書き込み動作の状況や、リムーバブルメモリ２０７への情報の読み出し書き込み状況などを知らせる各種情報を、画面や音声で出力したりする出力処理部であり、２０９は出力処理部２０８に接続された実際に画面を表示ずるディスプレイであり、２１０は実際に音声を出力するスピーカである。
【００３８】
以下に具体例を挙げてその動作を説明する。放送信号２０１から情報送受信部２０５までは（実施の形態１）の放送信号１０１から情報送受信部１０５までと同様の動作を行なう。また出力処理部２０８、ディスプレイ２０９、スピーカ２１０は（実施の形態１）の出力処理部１０７、ディスプレイ１０８、スピーカ１０９と同等の機能を有する。また情報処理部２０６は（実施の形態１）の情報処理部１０６と同様の動作を行なうがさらにリムーバブルメモリ２０７との情報のやり取りも行なう。
【００３９】
（実施の形態１）で説明されたような方法により非接触型情報記録媒体２０４から情報が読み出される。このとき情報処理部２０６では（実施の形態１）で説明したようにディスプレイ２０９やスピーカ２１０で情報送受信部２０５より読み出した情報を出力するための処理を行なうが、このときさらに読み出した情報をリムーバブルメモリ２０７に書き込んで外部に持ち出せるような構成をとっている。
【００４０】
このとき例えばユーザが非接触型情報記録媒体２０４を情報送受信部２０５に近づけて無線による情報の読み出し動作が行なわれると、ユーザにリムーバブルメモリ２０７に非接触型情報記録媒体２０４から読み出した情報を書き込むかどうかの選択ができる画面を情報処理部２０６より出力し、出力処理部２０８を介してディスプレイ２０９に表示し、ユーザがリムーバブルディスク２０７に情報を書き込むことを選択した場合には、情報処理部２０６はリムーバブルメモリ２０７にこの情報を転送し書き込まれる。これによりユーザは非接触型情報記録媒体２０４に記録された情報を自由に外部に持ち出して他の機器で使用したりすることが可能になる。
【００４１】
また逆に、リムーバブルメモリ２０７より所望の情報を読み出して情報処理部２０６で非接触型情報記録媒体に書き込むための処理を行ない、これを（実施の形態１）のように情報送受信部２０５を介して非接触型情報記録媒体２０４に記録することも可能である。
【００４２】
このようにリムーバブルメモリ２０７と非接触型情報記録媒体２０４の間で情報の共有化が可能になるが、このとき情報の種類に応じて相互の情報のやり取りを制限する処理を情報処理部２０６により行なうことで不必要な情報の流出を防ぐことも可能である。
【００４３】
（実施の形態３）
次に本発明の第３の実施の形態について、その詳細を説明する。
【００４４】
本発明は（実施の形態１）、（実施の形態２）に記載のテレビジョン受信機において情報送受信部の代わりに非接触型情報記録媒体に対して無線により所望の情報の読み出し書き込みを行なう外付け情報送受信装置を使用し、外付け情報送受信装置と情報処理部とをインターフェース部を介して接続して情報のやり取りを行なうことにより、種々の非接触型情報記録媒体に記録された情報をそれに対応した外付け情報送受信装置により読み込んで所望の映像や音声としてディスプレイに表示したりスピーカから出力すると同時に読み出した情報を持ち運び可能なリムーバブルメモリに記録して取り出すことを可能にするものである。
【００４５】
図３にその構成図を示す。３０１は放送信号であり、３０２は放送信号３０１を受信して所望のチャンネル信号を出力するチューナであり、３０３はチューナ３０２から出力される映像信号や音声信号などのＴＶ信号を処理するＴＶ信号処理部であり、３０４は非接触型情報記録媒体であり、３０５は前記非接触型情報記録媒体３０４に対して無線により所望の情報の読み出し書き込みを行なう外付け情報送受信装置である。
【００４６】
３０６は外付け情報送受信装置３０５と有線あるいは無線により接続し情報のやり取りを行なうためのインターフェース部であり、３０７はインターフェース部３０６を介して得られる外付け情報送受信装置３０５により読み出される非接触型情報記録媒体３０４に記録された情報を処理したり、あるいは非接触型情報記録媒体３０４に書き込む情報を生成したり、これらを映像信号や音声信号として出力できるように変換処理を行なう情報処理部である。
【００４７】
３０８は情報処理部３０７より得られる非接触型情報記録媒体３０４に記録された情報を記録して外部に取り出すことを可能にするリムーバブルメモリであり、３０９はＴＶ信号処理部３０３や情報処理部３０７と接続され、ユーザの操作や非接触型情報記録媒体３０４に対する情報の読み出し書き込み動作などに応じてＴＶ放送や情報処理部３０７から出力される非接触型情報記録媒体３０４に記録された情報などの所望の映像信号や音声信号を選択して出力したり、ユーザの操作を誘導したり、非接触型情報記録媒体３０４に対する情報の読み出し・書き込み動作の状況や、リムーバブルメモリ３０８への情報の読み出し・書き込み状況などを知らせる各種情報を、画面や音声で出力したりする出力処理部であり、３１０は出力処理部３０９に接続された実際に画面を表示ずるディスプレイであり、３１１は実際に音声を出力するスピーカである。
【００４８】
以下に、具体例を挙げてその動作を説明する。放送信号３０１からＴＶ信号処理部３０３までは、（実施の形態１）の放送信号１０１からＴＶ信号処理部１０３までと同様の動作を行なう。またリムーバブルメモリ３０８、出力処理部３０９、ディスプレイ３１０、スピーカ３１１は、（実施の形態２）におけるリムーバブルメモリ２０７、出力処理部２０８、ディスプレイ２０９、スピーカ２１０とほぼ同等の動作を行なう。
【００４９】
本実施の形態では、（実施の形態１）および（実施の形態２）と異なり、非接触型情報記録媒体３０４に対して、外付けの情報送受信装置３０５により情報の読み出しや書き込みを行なう。例えばユーザが非接触型情報記録媒体３０４を外付け情報送受信装置３０５に近づけると、外付け情報送受信装置３０５はこれを感知して電磁誘導コイルにより情報をやり取りするための電波を発信する。
【００５０】
非接触型情報記録媒体３０４ではこの電波をキャッチして、内蔵されたＩＣチップなどの情報記録部分より情報を読み出し、電波により外付け情報送受信装置３０５に送信する。
【００５１】
外付け情報送受信装置３０５では、非接触型情報記録媒体３０４からの情報を、インターフェース部３０６を介して情報処理部３０７に転送する。このとき外付け情報送受信装置３０５とインターフェース部３０６との接続は有線であっても無線であってもよい。また外付け情報送受信装置３０５で読み出した非接触型情報記録媒体３０４の情報を、情報処理部３０７に送信するタイミングは、非接触型情報記録媒体３０４から情報を読み出している間にリアルタイムで行なう、あるいは外付け情報送受信装置に一時的に情報を記録するメモリを搭載して読み出した情報を記録しておき、所望の情報を非接触型情報記録媒体３０４から一通り読み出してからこれらをまとめて送信することも可能である。
【００５２】
情報処理部３０７では、（実施の形態１）や（実施の形態２）で説明したような方法により、ディスプレイ３１０やスピーカ３１１で外付け情報送受信装置３０５より読み出した情報を出力するための処理を行なったりリムーバブルメモリ３０８との間で情報のやり取りを行なったりする処理を行なう。
【００５３】
また、外付け情報送受信装置との接続状況や情報の転送の状況をユーザに知らせるための信号を、出力処理部３０９を介してディスプレイ３１０やスピーカ３１１に出力することもできる。
【００５４】
また、非接触型情報記録媒体３０４に情報を書き込む場合、情報処理部３０７において書き込むための所望の情報を生成し、これをインターフェース部３０６を介して有線あるいは無線により外付け情報送受信装置３０５に転送し、非接触型情報記録媒体３０４に対して書き込み処理を行なう。
【００５５】
一連の動作は、読み出し処理と同様に、情報処理部３０７から動作状況や操作メニューなどの信号を出力処理部３０９を介してディスプレイ３１０やスピーカ３１１に出力し、ユーザが状況を確認しながら操作をすることができるようにすることが可能である。
【００５６】
このように外付け送受信装置３０５を用いて非接触型情報記録媒体３０４に対して情報の読み出し書き込み処理を行なうことにより、種々の非接触型情報記録媒体に対応した複数の情報送受信装置を使用することが可能となり、またこの外付け情報送受信装置の設置場所を任意に変えられることにより、ユーザの操作性の向上が可能となる。またこの外付け情報送受信装置３０５はテレビジョン受信機のリモコンに内蔵することも考えられる。
【００５７】
（実施の形態４）
次に本発明の第４の実施の形態について、その詳細を説明する。図４にその構成図を示す。４０１は放送信号であり、４０２は放送信号４０１を受信して所望のチャンネル信号を出力するチューナであり、４０３はチューナ４０２から出力される映像信号や音声信号などのＴＶ信号を処理するＴＶ信号処理部である
４０４は、非接触型情報記録媒体であり、４０５は非接触型情報記録媒体４０４に対して無線により所望の情報の読み出し書き込みを行なう情報送受信部であり、４０６は情報送受信部４０５を介して読み出される、非接触型情報記録媒体４０４に記録された情報を処理したり、あるいは非接触型情報記録媒体４０４に書き込む情報を生成したり、これらを映像信号や音声信号として出力できるように変換処理を行なう情報処理部である。
【００５８】
４０７は、非接触型情報記録媒体４０４に記録された情報をもとに通信回線４０８を通じてインターネットに接続し情報のやり取りを行なう通信処理部であり、４０９は前記情報処理部４０６より得られる非接触型情報記録媒体４０４に記録された情報や、通信処理部４０７によりインターネットに接続して得られる情報などを記録して外部に取り出すことを可能にするリムーバブルメモリである。
【００５９】
４１０は、ＴＶ信号処理部４０３や情報処理部４０６と接続されユーザの操作や、非接触型情報記録媒体４０４に対する情報の読み出し書き込み動作や通信処理部４０７によって行なわれるインターネットへの接続状況などに応じて、ＴＶ放送や情報処理部４０６から出力される非接触型情報記録媒体４０４に記録された情報や、通信処理部４０７によりインターネットに接続して得られる情報などの所望の映像信号や音声信号を選択して出力したり、ユーザの操作を誘導したり非接触型情報記録媒体４０４に対する情報の読み出し書き込み動作や、通信処理部４０７により行なわれるインターネットへの接続の状況やリムーバブルメモリ４０９への情報の読み出し書き込み状況などを知らせる各種情報を、画面や音声で出力したりする出力処理部である。
【００６０】
４１１は前記出力処理部４１０に接続された実際に画面を表示ずるディスプレイであり、図中４１２は実際に音声を出力するスピーカである。
【００６１】
以下、具体例を挙げてその動作を説明する。
【００６２】
放送信号４０１から情報送受信部４０５までは、（実施の形態２）における放送信号２０１から情報送受信部２０５までと同様の動作を行なう。また出力処理部４１０、ディスプレイ４１１、スピーカ４１２は、（実施の形態２）における出力処理部２０８、ディスプレイ２０９、スピーカ２１０と同等の動作を行なう。
【００６３】
情報処理部４０６では、（実施の形態１）および（実施の形態２）で説明したように、情報送受信部４０５を介して非接触型情報記録媒体４０４から読み出された情報を処理したり、出力処理部４１０を通じてディスプレイ４１１やスピーカ４１２で出力するための変換処理を行なったり、逆に情報送受信部４０５を介して非接触型情報記録媒体４０４に書き込む情報を生成したり、リムーバブルメモリ４０９と情報のやり取りを行なうための処理を行なう。さらに情報処理部４０６では、非接触型情報記録媒体４０４に記録された通信を行なうのに必要な情報を抽出し、通信処理部４０７に出力する。
【００６４】
通信処理部４０７ではこの情報をもとに、通信回線４０８を介して所望の通信処理を行ない、情報のやり取りを行なう。例えば、非接触型情報記録媒体４０４にインターネットのＵＲＬが記録されている場合、情報処理部４０６では情報送受信部４０５を介してこの情報を読み出し、ＵＲＬを抽出して通信処理部４０７に出力する。通信処理部４０７ではモデムなどを用いて通信回線４０８よりインターネットに接続し、ＵＲＬへとアクセスする。そしてそのＵＲＬにあるサーバなどからホームページなどの所望の情報を受信しこれを情報処理部４０６に出力する。
【００６５】
情報処理部４０６では、通信処理部４０７が受信した情報をディスプレイ４１１やスピーカ４１２より出力できるように変換処理を行なったり、さらにユーザの操作に応じて、再度、通信処理部を通じてＵＲＬにあるサーバとの間で情報のやり取りを行なう。あるいはリムーバブルメモリ４０９にインターネットより得られる情報を記録することもできる。
【００６６】
このような構成により、例えばある製品に付加されたＩＣタグなどの非接触型情報記録媒体４０４に、製品を提供するメーカなどの提供者のＵＲＬや製品番号などを記録しておくと、ユーザはこの非接触型情報記録媒体４０４を情報送受信部４０５にかざすだけでその提供者のサーバにアクセスでき、さらに製品番号や情報処理部４０６にあらかじめ保存されている個人情報などの情報を通信処理部４０７を介してやり取りを行なうことで、簡単に製品のユーザ登録をすることが可能になる。
【００６７】
このような通信処理部４０７を介して行なう通信処理の状況を、ユーザが把握したり、ユーザに対する操作の誘導は、（実施の形態１）や（実施の形態２）において説明した他の処理と同様に、情報処理部４０６や出力処理部４１０を通じてディスプレイ４１１やスピーカ４１２より行なうことが可能である。
【００６８】
このような構成により、非接触型情報記録媒体４０４に記録できる情報量が限られている場合においても、そこにＵＲＬなどのインターネット上に存在する情報源の情報を記録するだけで、ユーザはこれをもとに多様な情報にアクセスすることが可能となり、非接触型情報記録媒体４０４の用途が広がることになる。もちろん（実施の形態３）で説明した外付け情報送受信装置を用いる場合においても同様の構成をとることが可能である。
【００６９】
（実施の形態５）
次に本発明の第５の実施の形態について、その詳細を説明する。
【００７０】
本発明は（実施の形態４）におけるテレビジョン受信機において、通信処理部４０７により通信回線４０８を通じてインターネットに接続し、非接触型情報記録媒体４０４に記録される情報に対してセキュリティを確保するために用いられる暗号キーなどの各種セキュリティコードをデコードするための情報を読み込み、情報処理部４０６においてデコードを行なう、あるいは種々の情報記録方式に対してこれらに対応した情報送受信方式や情報処理方式の制御情報などを通信処理部４０７によりインターネットから取り込み、これにより情報送受信部４０５や情報処理部４０６の動作を変えることにより、種々の情報記録方式や情報セキュリティ方式が用いられた複数の非接触型情報記録媒体に対して、それに記録された情報を装置を変えることなく読み出して、出力することを可能するものである。
【００７１】
例えば（実施の形態４）のテレビジョン受信機において、暗号化などの情報セキュリティの適用されていない情報を記録した非接触型情報記録媒体と、それとは全く別の暗号化してセキュリティ保護のかかった情報を記録した非接触型情報記録媒体とを用いる場合を考える。通常前記情報セキュリティの適用されていない非接触型情報記録媒体用にテレビジョン受信機が動作しているものとする。この状態で暗号化処理された情報が記録された別の非接触型情報記録媒体の情報を読み出そうとユーザがこの記録媒体を情報送受信部４０５に近づける。このとき、例えば情報送受信部４０５にある電磁誘導コイルなどにより発信する電波の周波数が、この非接触型情報記録媒体が反応する周波数と異なる場合を考える。
【００７２】
このとき、情報送受信部４０５はユーザが情報記録媒体を近づけたことを感知するものの情報を読み出すための周波数が異なるため、この非接触型情報記録媒体から情報を読み出すことができない。そこでユーザは、この記録媒体の提供者が提供するインターネット上のサーバに、通信処理部を４０７を通じてアクセスする。そしてそのサーバより情報送受信部４０５より発生する電波の周波数を変える制御情報を読み出し、これを情報処理部４０６を通じて情報送受信部４０５に適用する。これにより情報送受信部４０５では所望の周波数を発信することが可能となり、この非接触型情報記録媒体から情報を読み出すことができる。
【００７３】
しかしながらこの情報は所定の暗号キーを用いて暗号されているため、このままでは情報処理部４０６においてディスプレイ４１１やスピーカ４１２よりユーザが認知できる情報として出力することができない。そこで今度は、前記記録媒体の提供者が提供するインターネット上のサーバに通信処理部４０７を通じて再度アクセスし、そのサーバより暗号キーに対する解読キーを読み出す。そして情報処理部４０６ではこの解読キーを用いて、暗号化された情報をデコードし、変換処理を行なった後、出力処理部４１０を通じてディスプレイ４１１やスピーカ４１２よりその情報を出力することで、ユーザがその情報を認知することができる。
【００７４】
さらに記録媒体の提供者の許可によりリムーバブルメモリ４０９にその情報を書き込むことも可能である。このような構成により種々の情報記録方式や情報セキュリティ方式が用いられた複数の非接触型情報記録媒体に対してそれに記録された情報を装置を変えることなく読み出して出力することが可能になる。
【００７５】
（実施の形態６）
次に本発明の第６の実施の形態について、その詳細を説明する。図５にその構成図を示す。
【００７６】
５０１は放送信号であり、５０２は放送信号５０１を受信して所望のチャンネル信号を出力するチューナであり、５０３はチューナ５０２から出力される映像信号や音声信号などのＴＶ信号を処理するＴＶ信号処理部であり、５０４はチューナ５０２から出力されるデータ放送信号や電子番組表（ＥＰＧ）データを処理するデータ放送ＥＰＧ処理部である。
【００７７】
５０６は、非接触型情報記録媒体５０５に対して、無線により所望の情報の読み出し書き込みを行なう情報送受信部であり、５０７は情報送受信部５０６を介して読み出される非接触型情報記録媒体５０５に記録された情報を処理したり、あるいは非接触型情報記録媒体５０５に書き込む情報を生成したり、これらを映像信号や音声信号として出力できるように変換処理を行なったり、データ放送ＥＰＧ処理部５０４より得られる情報と非接触型情報記録媒体５０５より得られる情報とを用いてデータ放送や電子番組表の所望の情報を抽出したり、加工したりするなどの連携処理を行なって出力する情報処理部である。
【００７８】
５０８は、非接触型情報記録媒体５０５に記録された情報をもとに通信回線５０９を通じてインターネットに接続し、情報のやり取りを行なったり種々の情報記録方式や情報セキュリティ方式に対する情報送受信方式や情報処理方式の制御情報などをインターネットより取り込む通信処理部であり、５１０は情報処理部５０７より得られる非接触型情報記録媒体５０５に記録された情報や、通信処理部５０８によりインターネットに接続して得られる情報などを記録して、外部に取り出すことを可能にするリムーバブルメモリである。
【００７９】
５１１は、ＴＶ信号処理部５０３やデータ放送ＥＰＧ処理部５０４や前記情報処理部５０７と接続され、ユーザの操作や非接触型情報記録媒体５０５に対する情報の読み出し書き込み動作や通信処理部５０８によって行なわれるインターネットへの接続状況などに応じて、ＴＶ放送やデータ放送や電子番組表や情報処理部５０７から出力される非接触型情報記録媒体５０５に記録された情報や、通信処理部５０８によりインターネットに接続して得られる情報などの所望の映像信号や音声信号を選択して出力したり、ユーザの操作を誘導したり、非接触型情報記録媒体５０５に対する情報の読み出し・書き込み動作や、通信処理部５０８により行なわれるインターネットへの接続の状況や、リムーバブルメモリ５１０への情報の読み出し書き込み状況などを知らせる各種情報を、画面や音声で出力したりする出力処理部であり、５１２は出力処理部５１１に接続された実際に画面を表示ずるディスプレイであり、５１３は実際に音声を出力するスピーカである。
【００８０】
以下、具体例を挙げてその動作を説明する。
【００８１】
放送信号５０１、チューナ５０２、ＴＶ信号処理部５０３、非接触型情報記録媒体５０５、情報送受信部５０６、通信処理部５０８、通信回線５０９、リムーバブルメモリ５１０、出力処理部５１１、ディスプレイ５１２、スピーカ５１３は、（実施の形態４）や（実施の形態５）における放送信号４０１、チューナ４０２、ＴＶ信号処理部４０３、非接触型情報記録媒体４０４、情報送受信部４０５、通信処理部４０７、通信回線４０８、リムーバブルメモリ４０９、出力処理部４１０、ディスプレイ４１１、スピーカ４１２と同様の動作を行なう。
【００８２】
データ放送ＥＰＧ処理部５０４では選局されたデータ放送信号や電子番組表（ＥＰＧ：Ｅｌｅｃｔｒｏｎｉｃ  Ｐｒｏｇｒａｍ  Ｇｕｉｄｅ）データを受信して、例えばＢＭＬの処理を行ったり、ユーザの操作に応じて別の画面に遷移したり、番組表を表示するための処理を行なったり、番組検索などを行なったりするなど、受信したデータ放送信号や電子番組表データの処理を行なう。
【００８３】
情報処理部５０７では、（実施の形態４）あるいは（実施の形態５）で説明したように、情報送受信部５０６を介して非接触型情報記録媒体５０５から読み出された情報を処理して、出力処理部５１１を通じてディスプレイ５１２やスピーカ５１３で出力するための変換処理を行なったり、逆に情報送受信部５０６を介して非接触型情報記録媒体５０５に書き込む情報を生成したり、リムーバブルメモリ５１０と情報のやり取りを行なうための処理を行なったり、通信処理部５０８で通信回線５０９を介して所望の通信処理を行なうために必要な情報を、非接触型情報記録媒体５０５から読み出した情報から抽出したり、あるいは通信処理部５０８を通じてインターネットから得られる情報を処理して、出力処理部５１１やリムーバブルメモリ５１０に出力したり、さらに前記非接触型情報記録媒体５０５に記録される情報に対して、セキュリティを確保するために用いられる暗号キーなどの各種セキュリティコードをデコードするための情報を前記通信処理部５０８よりインターネットより取り込んでデコード処理を行なったり、あるいは種々の情報記録方式に対してこれらに対応した情報送受信方式や情報処理方式の制御情報などを前記通信処理部５０８よりインターネットから取り込み、これにより前記情報送受信部５０６の動作や自身の処理を変えるものである。
【００８４】
本発明ではさらに、非接触型情報記録媒体５０５に記録されたデータ放送や電子番組表に関係した情報を、情報送受信部５０６を介して読み出し、これを用いてデータ放送ＥＰＧ処理部５０４より得られるデータ放送や電子番組表のデータから所望のデータを抽出したり、情報を加工したりするなどの任意の連携処理を行なう。例えば、スポーツ用品やスポーツ雑誌などに付加されたＩＣタグなどの非接触型情報記録媒体５０５において、それに関連するスポーツの情報が記録されていたとする。ユーザがこの非接触型情報記録媒体５０５を情報送受信部５０６に近づけると、情報処理部５０７では情報送受信部５０６を介してこれらの情報を読み出し、その中から例えば、テニスやゴルフなどの一つ、あるいは複数のデータをキーワードとして抽出し、出力処理部５１１を通じてユーザに、そのキーワードの中から一つ、あるいはいくつかを選択するように誘導する画面を、ディスプレイ５１２に表示させる。
【００８５】
そしてユーザがテニスを選択したとすると、情報処理部５０７ではデータ放送ＥＰＧ処理部５０４にその情報を送り、データ放送ＥＰＧ処理部５０４では、テニスに関連するデータ放送やテレビ番組の情報を検索してその結果を情報処理部５０７に返す。そして情報処理部５０７ではその結果を、出力処理部５１１を通じてディスプレイ５１２に表示させ、ユーザはその画面を見ながら好きな番組にアクセスしたり、視聴予約や録画予約ができるようになる。
【００８６】
あるいはスポーツ用品やスポーツ雑誌に関連したメーカや出版社などの会社の情報が、非接触型情報記録媒体５０５に記録されていて、この情報を用いてこの会社がスポンサーとなっているテレビ番組やデータ放送なども検索することが可能になる。このときデータ放送ＥＰＧ処理部５０４から直接出力処理部５１１を通じて検索結果を表示することも可能である。もちろんスポーツ関連のみならずあらゆるジャンルにおいてこのようなことが可能である。
【００８７】
またこの非接触型情報記録媒体５０５から読み出されるキーワードを用いて、通信処理部５０８を通じてインターネット上の情報も検索することも可能である。さらにこの検索結果やこれを用いてアクセスした情報は、リムーバブルメモリ５１０に記録することも可能である。
【００８８】
このように非接触型情報記録媒体５０５より所望の情報を読み出して、これを用いてデータ放送や電子番組表データなどと所望の連携処理を行なうことにより、ユーザが単純な操作で、キーワードの抽出やこれを用いた番組、情報検索が可能となりまた非接触型情報記録媒体を用いた新しい広告宣伝活動やマーケティング活動が実現できる。
【産業上の利用可能性】
【００８９】
本発明は、非接触型情報記録媒体に記録された情報を読み込んでこれを表示したりこれを用いて新たな情報にアクセスしたり情報の抽出や加工を行なうことにより新たなサービスの提供を可能にするテレビジョン受信機に関するもので、携帯型の端末装置として使用されるものでも、また携帯電話の一機能として使用される場合でも、コンピュータ、または車載用ディスプレイにおいて利用されるものであっても、同等の効果を奏することが出来るものである。
【図面の簡単な説明】
【００９０】
【図１】本発明の実施の形態１におけるテレビジョン受信機を示す図
【図２】本発明の実施の形態２におけるテレビジョン受信機を示す図
【図３】本発明の実施の形態３におけるテレビジョン受信機を示す図
【図４】本発明の実施の形態４および実施の形態５におけるテレビジョン受信機を示す図
【図５】本発明の実施の形態６におけるテレビジョン受信機を示す図
【符号の説明】
【００９１】
１０１    放送信号
１０２    チューナ
１０３    ＴＶ信号処理部
１０４    非接触型情報記録媒体
１０５    情報送受信部
１０６    情報処理部
１０７    出力処理部
１０８    ディスプレイ
１０９    スピーカ
【図１】
2006019879.tif 000003
【図２】
2006019879.tif 000004
【図３】
2006019879.tif 000005
【図４】
2006019879.tif 000006
【図５】
2006019879.tif 000007